(57)【要約】【課題】壁際工事の際には補助足場板を足場板に対し起立させ、その工事が終われば外側へ倒すことで、面倒な取付作業をなくした全周回転掘削機の作業用デッキを提供する。【解決手段】回転掘削機本体９上面に、ケーシング挿通孔１１を中央部に有する略矩形の足場板１０を載設した全周回転掘削機の作業用デッキであって、回転掘削機本体９を構成する昇降フレーム４及びチャック装置支持フレーム８と、回転掘削機本体９を支持するベースフレーム７とを平面視略矩形の略同幅に形成し、足場板１０の両側辺１０ａ，１０ａを、全周回転掘削機本体９の両側辺９ａ，９ａから突出しない形状に形成すると共に、足場板１０の両側辺１０ａ，１０ａに、夫々補助足場板１２，１２を、足場板１０の一側辺１０ａの外側へ足場板１０と面一状に伸展する水平姿勢と、この水平姿勢から起立した起立姿勢とに回動可能に設ける。【選択図】図１
0003173267.tif 000002
【実用新案登録請求の範囲】
【請求項１】
回転掘削機本体上面に、ケーシング挿通孔を中央部に有する略矩形の足場板を載設した全周回転掘削機の作業用デッキであって、回転掘削機本体を構成する昇降フレーム及びチャック装置支持フレームと、回転掘削機本体を支持するベースフレームとを平面視略矩形の略同幅に形成し、前記足場板の両側辺を、全周回転掘削機本体の両側辺から突出しない形状に形成すると共に、前記足場板の両側辺に、夫々補助足場板を、前記足場板の一側辺の外側へ足場板と面一状に伸展する水平姿勢と、この水平姿勢から起立した起立姿勢とに回動可能に設けてなる全周回転掘削機の作業用デッキ。
【請求項２】
前記足場板の両側辺に、夫々補助足場板を、前記足場板の一側辺の外側へ足場板と面一状に伸展する水平姿勢と、この水平姿勢から起立した起立姿勢と、この起立姿勢から前記足場板上に折り畳まれる折り畳み姿勢とに回動可能に枢着すると共に、各補助足場板を水平姿勢、起立姿勢及び折り畳み姿勢に夫々固定する固定手段を設けてなる請求項１に記載の全周回転掘削機の作業用デッキ。
【請求項３】
前記足場板の両側辺の各一側辺と前記補助足場板の外側辺とは、手摺りを付け替え可能としてなる請求項１又は２に記載の全周回転掘削機の作業用デッキ。
【考案の詳細な説明】
【技術分野】
【０００１】
本考案は、オールケーシング工法で使用される全周回転掘削機の作業用デッキに関するものである。
【背景技術】
【０００２】
従来の全周回転掘削機の作業用デッキとして、回転掘削機本体を構成する昇降フレーム及びチャック装置支持フレームと、回転掘削機本体を支持するベースフレームとを平面視略矩形の略同幅に形成し、前記足場板の少なくとも一側辺を、全周回転掘削機本体の両側辺から突出しない形状に形成すると共に、前記足場板の一側辺に装着した際に前記回転掘削機本体の一側辺から突出する補助足場板を、前記足場板の一側辺に着脱可能に設けたものが提案されている。
【０００３】
しかして、壁際工事に際しては、上記補助足場板を足場板から取り外すことによって、全周回転掘削機本体から突出するものがなくなり、全周回転掘削機を壁際ぎりぎりまで寄せることができる。
【考案の概要】
【考案が解決しようとする課題】
【０００４】
上記従来の作業用デッキでは、壁際工事の際には、補助足場板を足場板から取り外し、その壁際工事が終了すれば、補助足場板を足場板に取り付けるというようになっているため、補助足場板の取付け、取外し作業が非常に面倒となる。
【０００５】
本考案は、壁際工事の際には補助足場板を足場板に対し起立させ、その工事が終わればその補助足場板を足場板の一側辺の外側へ倒すようにすることで、面倒な取付作業をなくした全周回転掘削機の作業用デッキを提供することを目的とする。
【課題を解決するための手段】
【０００６】
上記課題を解決するための手段を、後述する実施形態の参照番号を付して説明すると、請求項１に係る考案は、回転掘削機本体９上面に、ケーシング挿通孔１１を中央部に有する略矩形の足場板１０を載設した全周回転掘削機の作業用デッキであって、回転掘削機本体９を構成する昇降フレーム４及びチャック装置支持フレーム８と、回転掘削機本体９を支持するベースフレーム７とを平面視略矩形の略同幅に形成し、前記足場板１０の両側辺１０ａ，１０ａを、全周回転掘削機本体９の両側辺９ａ，９ａから突出しない形状に形成すると共に、前記足場板１０の両側辺１０ａ，１０ａに、夫々補助足場板１２を、前記足場板１０の一側辺１０ａの外側へ足場板１０と面一状に伸展する水平姿勢と、この水平姿勢から起立した起立姿勢とに回動可能に設けてなることを特徴とする。
【０００７】
請求項２は、請求項１に記載の全周回転掘削機の作業用デッキにおいて、前記足場板１０の両側辺１０ａ，１０ａに、夫々補助足場板１２を、前記足場板１０の一側辺１０ａの外側へ足場板と面一状に伸展する水平姿勢と、この水平姿勢から起立した起立姿勢と、この起立姿勢から前記足場板１０上に折り畳まれる折り畳み姿勢とに回動可能に枢着すると共に、各補助足場板１２を水平姿勢、起立姿勢及び折り畳み姿勢に夫々固定する固定手段１３を設けてなることを特徴とする。
【０００８】
請求項３は、請求項１又は２に記載の全周回転掘削機の作業用デッキにおいて、前記足場板１０の各一側辺１０ａと前記補助足場板１２の外側辺１２ｂとは、手摺り２７を付け替え可能としてなることを特徴とする。
【考案の効果】
【０００９】
上記解決手段による考案の効果を、後述する実施形態の参照番号を付して説明すると、請求項１に係る考案の全周回転掘削機の作業用デッキによれば、足場板１０の側辺１０ａに、補助足場板１２を、水平姿勢と起立姿勢とに回動可能に設けているから、壁際工事の際には、壁Ｗに隣接する側の補助足場板１２を足場板１０に対し起立させることにより、全周回転掘削機を壁際ぎりぎりまで寄せることができ、工事が終わればその補助足場板１２を足場板１０の一側辺の外側へ倒せばよく、従って従来の作業用デッキのような面倒な取付作業を行なう必要がなく、作業の効率化を図ることができる。また、この作業用デッキでは、足場板１０の両側辺１０ａ，１０ａに夫々補助足場板１２を設けているから、足場板１０の両側辺１０ａ，１０ａの何れの側が壁際となっても、その壁Ｗに隣接する側の補助足場板１２を起立させればよいから、全周回転掘削機全体を反転させる必要がなく、作業能率の一層の向上を図ることができる。
【００１０】
請求項２に係る考案によれば、補助足場板１２は、水平姿勢及び起立姿勢と共に、起立姿勢から足場板１０上に折り畳まれる折り畳み姿勢にすることができると共に、固定手段１３により、その折り畳み姿勢にも固定できるから、作業用デッキを取り付けたまま全周回転掘削機を搬送する時、あるいはデッキを全周回転掘削機本体９から取り外して、デッキを単独で搬送するような時には、各補助足場板１２を折り畳み姿勢に固定しておけば、補助足場板１２がガタついて騒音を生ずるようなことがなく、また補助足場板１２の搬送が容易となる。
【００１１】
請求項３に係る考案によれば、足場板１０の各一側辺１０ａと補助足場板１２の外側辺１２ｂとに手摺り２７を付け替え可能としたので、工事の際の安全性を確保できる。
【図面の簡単な説明】
【００１２】
【図１】(a) は本考案に係る全周回転掘削機の平面図で、足場板の両側辺に設けた補助足場板を夫々外側へ伸展した状態を示し、(b) は側面図で、片方の補助足場板を起立させた状態を示す。
【図２】(a) は足場板の両側辺に設けた補助足場板を夫々外側へ伸展した状態の平面図、(b) はその側面図である。
【図３】(a) は補助足場板を夫々起立させた状態の平面図であり、(b) はその側面図である。
【図４】図２の(a) のＸ−Ｘ線拡大断面図である。
【図５】(a) は図３の(a) の矢印Ｙで示す部分の拡大図、(b) は(a) の矢印Ｑから見た側面図である。
【考案を実施するための形態】
【００１３】
以下に本考案の好適な一実施形態について図面を参照しながら説明すると、図１に示す全周回転掘削機は、ケーシング１を把持するチャック装置２を設けたリング状の回転フレーム３と、この回転フレーム３を回転可能に支持する昇降フレーム４と、この昇降フレーム４に設けられていて、回転フレーム３を回転させる油圧モータからなる回転駆動装置５と、昇降フレーム４を昇降させる油圧シリンダからなる昇降駆動装置６を立設したベースフレーム７と、チャック装置２を支持するチャック装置支持フレーム８とから構成され、チャック装置２でケーシング１を把持し、回転フレーム３を回転駆動装置５によって回転させながら、昇降駆動装置６により昇降フレーム４を昇降させて、ケーシング１の押し込み・引抜きを行なうようになっている。ベースフレーム７の四隅部にはジャッキシリンダ７ａが設けられている。
【００１４】
上記昇降フレーム４及びチャック装置支持フレーム８によって全周回転掘削機本体９が構成され、この全周回転掘削機本体９の昇降フレーム４とチャック装置支持フレーム８とが平面略矩形の略同幅に形成されている。
【００１５】
チャック装置支持フレーム８の上面には、作業用デッキを形成する足場板１０が載設されている。足場板１０は、図１〜図３に示すように、全体が矩形状に形成されたもので、その中央部にケーシング挿入孔１１を有し、そしてこの矩形状足場板１０は、各長手方向側辺１０ａが全周回転掘削機本体９の各長手方向側辺９ａから突出しない形状に形成されている。
【００１６】
また図１〜図３に示すように、足場板１０の両側辺１０ａ，１０ａには、夫々平面視略々台形の補助足場板１２，１２が、複数のヒンジ１４によって、足場板１０の一側辺１０ａの外側へ足場板１０と面一状に伸展する水平姿勢と、この水平姿勢から起立した起立姿勢と、この起立姿勢から足場板１０上に折り畳まれる折り畳み姿勢とに回動可能に蝶着されると共に、各補助足場板１２を水平姿勢、起立姿勢及び折り畳み姿勢に夫々固定する固定手段１３が、足場板１０の各側辺１０ａの両端部に設けられている。
【００１７】
図４には、各補助足場板１２を足場板１０の一側辺１０ａに蝶着するヒンジ１４を示している。各ヒンジ１４は、足場板１０の一側辺１０ａの所要箇所に複数のヒンジ片１５を間隔をおいて固着し、その複数のヒンジ片１５間に介挿するヒンジ片１６を補助足場板１２の基端部１２ｏに固着し、これらのヒンジ片１５，１６にヒンジ軸１７を貫通させることにより、補助足場板１２を、図４の実線で示す水平姿勢と、仮想線で示す起立姿勢と、同じく仮想線で示す折り畳み姿勢とに回動可能に蝶着するものである。
【００１８】
図５の(a) ，(b) は、補助足場板１２を水平姿勢、起立姿勢及び折り畳み姿勢に夫々固定する固定手段１３を示すもので、(a) は補助足場板１２が起立姿勢に固定された状態の平面図で、(b) は同状態を(a) の矢印Ｑの方向から見た側面図である。この固定手段１３は、足場板１０の一側辺１０ａの両端部に夫々略々円板形の固定基板１９を突設固着し、補助足場板１２の基端部１２ｏの両端位置には夫々、足場板１０側の固定基板１９の内面に当接する固定用部片２０を固着し、この固定用部片２０にはボルト挿通孔２１を設け、固定基板１９には、補助足場板１２の回動中心軸線Ｇから固定用部片２０のボルト挿通孔２１の中心までを半径とする円周上に周方向９０°の間隔で３つのボルト挿通孔２２，２３，２４を設けてなるものである。
【００１９】
従って、補助足場板１２が起立姿勢にある時は、ボルト２５を補助足場板１２の固定用部片２０のボルト挿通孔２１から足場板１０側の固定基板１９のボルト挿通孔２３に挿通して、ナット２６で締め付けることにより、補助足場板１２を起立姿勢に固定することができ、また補助足場板１２が水平姿勢ある時は、ボルト２５を固定用部片２０のボルト挿通孔２１から固定基板１９のボルト挿通孔２２に挿通して、ナット２６で締め付けることにより、補助足場板１２を水平姿勢に固定でき、更に補助足場板１２が折り畳み姿勢にある時は、ボルト２５を固定用部片２０のボルト挿通孔２１から、固定基板１９のボルト挿通孔２４に挿通して、ナット２６で締め付けることにより、補助足場板１２を折り畳み姿勢に固定することができる。
【００２０】
また、図１に示すように、足場板１０及び補助足場板１２の外周側に手摺り２７が設けられ、足場板１０の短辺側には梯子２８が設けられ、そして補助足場板１２の外周辺部にも手摺り２７が設けられている。足場板１０及び補助足場板１２の手摺り２７は、図４及び図５の(b) に示すように、その手摺り支柱２７ａが、足場板１０の短辺側及び補助足場板１２の外周辺部に一定間隔おきに取り付けられた支柱取付用短筒２９，３１に着脱可能に挿着されている。
【００２１】
支柱取付用短筒２９は、足場板１０の短辺側においては、図４及び図５の(a) ，(b) に示すように、足場板１０の板面に対し垂直に取り付けられ、補助足場板１２の外周辺部においては、補助足場板１２が水平姿勢の時に手摺り２７を設置できるように補助足場板１２の板面に対し垂直に取り付けられる。支柱取付用短筒３１は、図５の(a) ，(b) に示すように、補助足場板１２が起立姿勢の時に手摺り２７を設置できるように補助足場板１２の板面に平行に取り付けられる。尚、各支柱取付用短筒２９，３１には、側面部に設けたビス挿通孔（図示省略）の外端部にナット３０が固着されていて、このナット３０に固定用ビス３２（図４ 参照）をねじ込んで、その先端部を手摺り支柱２７ａの基端部側面に押し付けることにより、手摺り支柱２７ａを固定することができる。
【００２２】
上記のように構成される全周回転掘削機の作業用デッキによれば、壁際工事の際には、図１に示すように、壁Ｗに隣接する側の補助足場板１２を水平姿勢から起立させて同図の(b) に示す起立姿勢とすることにより、全周回転掘削機を壁際ぎりぎりまで寄せることができる。この場合、補助足場板１２を起立姿勢とした状態で、図５の(a) ，(b) の実線図示のように、ボルト２５を補助足場板１２の固定用部片２０のボルト挿通孔２１から足場板１０側の固定基板１９のボルト挿通孔２３に挿通して、ナット２６で締め付けることにより、補助足場板１２を起立姿勢に固定することができる。また補助足場板１２を起立姿勢とした状態では、手摺り支柱２７ａを支柱取付用短筒３１に挿入することによって、手摺り２７を設置することができる。
【００２３】
この全周回転掘削機の作業用デッキでは、足場板１０の両側辺１０ａ，１０ａに夫々補助足場板１２を設けているから、足場板１０の両側辺１０ａ，１０ａの何れの側が壁際となっても、その壁Ｗに隣接する側の補助足場板１２を起立させればよいから、全周回転掘削機全体を反転させる必要がなく、作業能率の向上を図ることができる。
【００２４】
また、壁際工事が終わって、壁際工事以外の通常工事に戻る際には、起立姿勢にあった補助足場板１２を外側へ倒して水平姿勢にすればよい。この場合には、図５の(b) を参照すれば分かるように、同図の実線図示の状態にあるボルト２５を、足場板１０側の固定基板１９のボルト挿通孔２３からボルト挿通孔２２に差し換えることにより、補助足場板１２を水平姿勢に固定することができる。
【００２５】
上記のように、この全周回転掘削機の作業用デッキでは、足場板１０の両側辺１０ａ，１０ａに、夫々補助足場板１２を、前記足場板１０の一側辺１０ａの外側へ足場板１０と面一状に伸展する水平姿勢と、この水平姿勢から起立した起立姿勢とに回動可能に設けているから、壁際工事の際には、壁Ｗに隣接する側の補助足場板１２を足場板１０に対して起立させ、その工事が終わればその補助足場板１２を足場板１０の一側辺の外側へ倒せばよく、従って従来の作業用デッキのような面倒な取付作業を行なう必要がなく、作業の効率化を図ることができる。
【００２６】
また、この作業用デッキでは、各補助足場板１２は、起立姿勢から記足場板１０上に折り畳まれる折り畳み姿勢にすることができると共に、固定手段１３によってその折り畳み姿勢に固定できるから、作業用デッキを全周回転掘削機本体９に取り付けたまま全周回転掘削機を搬送する時、あるいはデッキを全周回転掘削機本体９から取り外して、デッキを単独で搬送するような時に、各補助足場板１２を折り畳み姿勢に固定しておけば、補助足場板１２がガタついて騒音を生ずるようなことがなく、また補助足場板１２の搬送が容易となる。
【符号の説明】
【００２７】
１            ケーシング
２            チャック装置
３            回転フレーム
４            昇降フレーム
５            回転駆動装置
６            昇降駆動装置
７            ベースフレーム
８            チャック装置支持フレーム
９            全周回転掘削機本体
１０          足場板
１１          ケーシング挿通孔
１２          補助足場板
１３          固定手段
１４          ヒンジ
【図１】
0003173267.tif 000003
【図２】
0003173267.tif 000004
【図３】
0003173267.tif 000005
【図４】
0003173267.tif 000006
【図５】
0003173267.tif 000007